(57)【要約】【課題】パスワードが一致しても、一般的なＤＤＳフォーマット対応の磁気記録再生装置では、ユーザーデータを読み出せない磁気記録再生装置を提供することを目的とする。【解決手段】磁気テープに記録されたデータを再生する際に、パスワードを入力し、そのパスワードに対比される擬似ＥＯＤの個数だけスキップしてユーザーデータ１５の再生を実行するので、スキップ数が磁気テープに記録された擬似ＥＯＤ２４の数に一致した場合に限って、磁気テープに記録されたデータを再生できる。【選択図】図３
2007026490.tif 000002
【特許請求の範囲】
【請求項１】
磁気テープのユ−ザーデータ記録エリアにデータを読み書きし、磁気テープの走行方向に対して前記ユ−ザーデータ記録エリアに書き込まれたデータの後ろにＥＯＤ（End Of Data）を書き込むデータフォーマットを実行する磁気記録再生装置であって、
前記磁気テープの走行方向に対してユ−ザーデータ記録エリアの手前に擬似ＥＯＤを記録しユーザーデータを記録した後に真のＥＯＤする記録系と、
磁気テープの再生信号から前記擬似ＥＤＯを選択的にスキップしてユ−ザーデータ記録エリアのユーザーデータを再生出力する再生系と
を備えた磁気記録再生装置。
【請求項２】
前記記録系は、単数または複数の擬似ＥＯＤを記録するよう構成された
請求項１記載の磁気記録再生装置。
【請求項３】
前記再生系は、入力パスワードに応じた数の擬似ＥＯＤをスキップするよう構成された
請求項２記載の磁気記録再生装置。
【請求項４】
前記記録系は、入力パスワードに応じた数の擬似ＥＯＤを記録するよう構成された
請求項１記載の磁気記録再生装置。
【請求項５】
ユーザーデータを外部機器との間でやり取りする通信ラインを介して前記外部機器から入力された前記入力パスワードを読み取って運転するよう構成した
請求項３または請求項４記載の磁気記録再生装置。
【請求項６】
磁気記録再生装置本体に設けられている入力手段から入力された前記入力パスワードを読み取って運転するよう構成した
請求項３または請求項４記載の磁気記録再生装置。
【発明の詳細な説明】
【技術分野】
【０００１】
本発明は、データのバックアップなどに使用されている磁気記録再生装置に関するものである。
【背景技術】
【０００２】
コンピュータシステムに何らかの障害が発生した場合であってもデータ復旧ができるように、磁気テープにデータのバックアップを実行し、これをリストアすることが行われている。
【０００３】
データを磁気テープにバックアップする磁気記録再生装置（ＤＤＳテープストレージドライブ）は、図５に示すように構成されている。
ワークステーションのサーバー用のデータバックをバックアップするための磁気記録再生装置本体１は、ワークステーション２にＳＣＳＩなどの通信ライン３を介して接続されている。
【０００４】
磁気記録再生装置本体１は制御手段４と回転形磁気ヘッド５を介して磁気テープ６にアクセスする再生手段７，記録手段８などを内蔵している。具体的には、図７に示すように、制御手段４と再生手段７，記録手段８の他にオートローダ９などを内蔵した磁気記録再生装置本体１には、図８に示すように複数のカートリッジ１０がセットされるマガジン１１とで構成されている。マガジン１１は磁気記録再生装置本体１の着脱口１２から挿入されて前記オートローダ９にセットされる。回転形磁気ヘッド５がアクセスする磁気テープ６は、ワークステーション２のバックアップアプリケーション１３から、または磁気記録再生装置本体１の前面パネルに設けられた入力手段１４から指定された特定のカートリッジ１０が回転形磁気ヘッド５によってアクセスできるように前記オートローダ９が運転されている。
【０００５】
前記入力手段１４は、図９に示す液晶表示パネルＤＰと、イジェクトスイッチＳＷ１，選択ボタンスイッチＳＷ２，入力ボタンスイッチＳＷ３で構成されている。
ワークステーション２から通信ライン３を介して記録動作の指示を受けた磁気記録再生装置本体１は、制御手段４がこれを検出して図１０（ａ）を実行する。ステップＳ１では、記録手段８と回転形磁気ヘッド５を介して該当するカートリッジ１０の磁気テープ６に、図６に示したＤＤＳフォーマットで書き込む。つまり、磁気テープ６のユーザーデータエリア１５にデータを書き込むに際しては、ユーザーデータエリア１５の位置に対して磁気テープ６の走行方向の手前位置にデバイスデータ１６，リファレンスデータ１７，システムデータ１８，ベンダーグループデータ１９を順に記録し、その次にユーザーデータが書き込まれ、ユーザーデータの次には、データの終端を意味するＥＯＤ（End Of Data）２０を書き込むように構成されている。
【０００６】
ワークステーション２から通信ライン３を介して再生動作の指示を受けた磁気記録再生装置本体１は、制御手段４がこれを検出して図１０（ｂ）を実行する。
ステップＳ１では、該当するカートリッジ１０の磁気テープ６に回転形磁気ヘッド５がアクセスして再生手段７を介して図６のＤＤＳフォーマットで書き込まれた各種のデータを読み出し、通信ライン３を介してワークステーション２に返信する。ステップＳ２で前記ＥＯＤ２０を検出すると、ステップＳ３でユーザーデータの再生を終了する。
【０００７】
このようにワークステーション２からの記録指示や再生指示だけでは、記録済みのユーザーデータを保護できないため、（特許文献１）などでは入力されたパスワードと再生されたパスワードが一致した場合に限って、ユーザーデータの再生を本格的に実行するように構成されている。
【特許文献１】特開平１１−１６２２７号公報
【発明の開示】
【発明が解決しようとする課題】
【０００８】
このように一般的なパスワードの照合と一致をキーにしてユーザーデータの再生を保護した場合には、ＤＤＳフォーマットのファームウェアを搭載した一般的な磁気記録再生装置を使用して、パスワードを変更しながら度々のパスワード入力を繰り返す不正行為の実行によって、ついには正規のパスワードと一致して、ユーザーデータが再生される危険性が高い。
【０００９】
本発明はパスワードを変更しながら度々のパスワード入力を繰り返す不正行為の実行によっても一般的なＤＤＳフォーマット対応の磁気記録再生装置では、ユーザーデータを読み出せない磁気記録再生装置を提供することを目的とする。
【課題を解決するための手段】
【００１０】
本発明の請求項１記載の磁気記録再生装置は、磁気テープのユ−ザーデータ記録エリアにデータを読み書きし、磁気テープの走行方向に対して前記ユ−ザーデータ記録エリアに書き込まれたデータの後ろにＥＯＤ（End Of Data）を書き込むデータフォーマットを実行する磁気記録再生装置であって、前記磁気テープの走行方向に対してユ−ザーデータ記録エリアの手前に擬似ＥＯＤを記録しユーザーデータを記録した後に真のＥＯＤする記録系と、磁気テープの再生信号から前記擬似ＥＤＯを選択的にスキップしてユ−ザーデータ記録エリアのユーザーデータを再生出力する再生系とを備えたことを特徴とする。
【００１１】
本発明の請求項２記載の磁気記録再生装置は、請求項１において、前記記録系は、単数または複数の擬似ＥＯＤを記録するよう構成されたことを特徴とする。
本発明の請求項３記載の磁気記録再生装置は、請求項２において、前記再生系は、入力パスワードに応じた数の擬似ＥＯＤをスキップするよう構成されたことを特徴とする。
【００１２】
本発明の請求項４記載の磁気記録再生装置は、請求項１において、前記記録系は、入力パスワードに応じた数の擬似ＥＯＤを記録するよう構成されたことを特徴とする。
本発明の請求項５記載の磁気記録再生装置は、請求項３または請求項４において、ユーザーデータを外部機器との間でやり取りする通信ラインを介して前記外部機器から入力された前記入力パスワードを読み取って運転するよう構成したことを特徴とする。
【００１３】
本発明の請求項６記載の磁気記録再生装置は、請求項３または請求項４において、磁気記録再生装置本体に設けられている入力手段から入力された前記入力パスワードを読み取って運転するよう構成したことを特徴とする。
【発明の効果】
【００１４】
この構成によれば、磁気テープに記録されたデータを再生する際にパスワードを入力し、そのパスワードに対比される擬似ＥＯＤの個数と磁気テープに記録された擬似ＥＯＤの数が一致した場合に、磁気テープに記録されたデータを再生することができるので、高い機密保持性をもった磁気記録再生装置が提供できる。
【００１５】
従来のＤＤＳフォーマットに対して、実際のユ−ザーデータ記録エリアの前に、擬似ＥＯＤを複数個記録し（個数は、先に選択したパスワードによって決まる）、続いてユーザーデータを記録した後に真のＥＯＤを記録する。
【００１６】
従来のＤＤＳフォーマット対応の磁気記録再生装置では、擬似ＥＯＤがあるためにユーザーデータは再生できない。また、対応済みのファムウェアで同記録テープをリードする場合も、パスワードが一致しない場合には擬似ＥＯＤを認識して、ユーザーデータをリードできない。
【発明を実施するための最良の形態】
【００１７】
以下、本発明の各実施の形態を図１〜図４に基づいて説明する。
なお、従来例を示す図５〜図９と同様の作用をなすものには同一の符号を付けて説明する。
【００１８】
図１は、本発明による磁気記録再生装置を示す。
ワークステーションのサーバー用のデータバックをバックアップするための磁気記録再生装置本体１は、ワークステーション２にＳＣＳＩなどの通信ライン３を介して接続されている。
【００１９】
磁気記録再生装置本体１は制御手段４と回転形磁気ヘッド５を介して磁気テープ６にアクセスする再生手段７，記録手段８などを内蔵している。具体的には、図７に示すように、制御手段４と再生手段７，記録手段８の他にオートローダ９などを内蔵した磁気記録再生装置本体１と、図８に示すように複数のカートリッジ１０がセットされるマガジン１１とで構成されている。マガジン１１は磁気記録再生装置本体１の着脱口１２から挿入されて前記オートローダ９にセットされる。回転形磁気ヘッド５がアクセスする磁気テープ６は、ワークステーション２のバックアップアプリケーション１３からまたは磁気記録再生装置本体１の前面パネルに設けられた入力手段１４から指定された特定カートリッジ１０が回転形磁気ヘッド５によってアクセスできるように前記オートローダ９が運転される。
【００２０】
前記入力手段１４は、図９に示す液晶表示パネルＤＰと、イジェクトスイッチＳＷ１，選択ボタンスイッチＳＷ２，入力ボタンスイッチＳＷ３で構成されている。
ワークステーション２から通信ライン３を介して記録動作の指示を受けた磁気記録再生装置本体１は、制御手段４がこれを検出して図２を実行する。なお、制御手段４には入力パスワードに対応したパラメータが書き込まれた対比テーブル２２が設けられている。さらに、磁気記録再生装置本体１には、パスワード入力手段２３が設けられている。この実施の形態においてパスワード入力手段２３は、例えば、入力ボタンスイッチＳＷ３を操作してファンクションがどの状態に切り替わっているのかを液晶表示パネルＤＰの表示内容から読み取って、パスワード入力モードに切り替えられた状態において、選択ボタンスイッチＳＷ２を操作して目的のパスワードを入力できるように構成されている。
【００２１】
図２のステップＳ１では、前記パスワード入力手段２３によってパスワードを入力する。ステップＳ２ではステップＳ１で読み取った入力パスワードをキーに対比テーブル２２を検索して擬似ＥＯＤの個数を読み出す。
【００２２】
ステップＳ３では、ステップＳ１で読み取った入力パスワードが前記対比テーブル２２に登録されているかどうかをチェックする。このステップＳ３において、「入力パスワードが登録されていない」と判定した場合には、ステップＳ４を飛び越してステップＳ５では図６に示した一般的なＤＤＳフォーマットでの記録を実行する。
【００２３】
ステップＳ３において、「入力パスワードが登録されている」と判定した場合には、ステップＳ４を実行してからステップＳ５を実行して、結果的には図３に示すフォーマットでの記録を実行する。具体的には、ユーザーデータエリア１５の位置に対して磁気テープ６の走行方向の手前位置にデバイスデータ１６，リファレンスデータ１７，システムデータ１８，ベンダーグループデータ１９を順に記録し、ユーザーデータの記録エリアの手前位置に、ステップＳ４で前記対比テーブル２２から読み出した回数だけＥＯＤ（End Of Data）を書き込む。ここでは、ＥＯＤ１，ＥＯＤ２，・・・・，ＥＯＤＸのＸ個のＥＯＤが書き込まれている。ＥＯＤＸに続いてステップＳ５ではユーザーデータ１５とＥＯＤ２０が書き込まれる。ここでは、ＥＯＤ１，ＥＯＤ２，・・・・，ＥＯＤＸを擬似ＥＯＤと呼び、ユーザーデータ１５に続いたＥＯＤ２０を真のＥＯＤと呼ぶ。
【００２４】
ワークステーション２から通信ライン３を介して再生動作の指示を受けた磁気記録再生装置本体１は、制御手段４がこれを検出して図４を実行する。
ステップＳ１では、前記パスワード入力手段２３によってパスワードを入力する。ステップＳ２ではステップＳ１で読み取った入力パスワードをキーに対比テーブル２２を検索して擬似ＥＯＤの個数を読み出す。ステップＳ３では、ステップＳ１で読み取った入力パスワードが前記対比テーブル２２に登録されているかどうかをチェックする。このステップＳ３において、「入力パスワードが登録されていない」と判定した場合には、ステップＳ４を飛び越してステップＳ５，Ｓ６では図６に示した一般的なＤＤＳフォーマットでの再生のステップＳ１，ステップＳ２を実行する。
【００２５】
ステップＳ３において、「入力パスワードが登録されている」と判定した場合には、ステップＳ４を実行してからステップＳ５を実行する。
このように構成したため、図３のフォーマットで記録されたユーザーデータを再生しようとする場合に、正規のパスワードを入力して再生を実施した場合には、図４のステップＳ４でＸ個の擬似ＥＯＤ２０をスキップするようにセットされて、擬似ＥＯＤ２４を検出してもこれを真のＥＯＤ２０と誤って認識しない。したがって、Ｘ個の擬似ＥＯＤをスキップしてユーザーデータを再生して通信ライン３を介してワークステーション２へバックアップデータを送り、真のＥＯＤ２０を検出して再生を終了する。
【００２６】
正規のパスワードを入力せずに再生を実施した場合には、最初の擬似ＥＯＤ２４を検出すると、これを真のＥＯＤ２０と誤認識して直ちに再生終了を実行するので、ワークステーション２へバックアップデータを送らない。
【００２７】
したがって、図３のフォーマットで記録した磁気テープ６については、図４に示したようにステップＳ４を実行するファームウェアを有した特定の磁気記録再生装置を使用し、なおかつ、パスワードの一致を検出しない限り再生することができないので、パスワードの一致だけで読み出せる従来の装置よりも高い機密保持性を得ることができる。
【００２８】
なお、前記磁気テープの走行方向に対してユ−ザーデータ記録エリアの手前に擬似ＥＯＤを記録しユーザーデータを記録した後に真のＥＯＤする記録系は、制御手段４と記録手段８とで構成されている。また、磁気テープの再生信号から前記擬似ＥＤＯを選択的にスキップしてユ−ザーデータ記録エリアのユーザーデータを再生出力する再生系は、制御手段４と再生手段７とで構成されている。
【００２９】
なお、上記の構成では磁気記録再生装置本体１に設けたパスワード入力手段２３からのパスワード入力に応答して動作するように構成したが、前記通信ラインから、外部機器としてのワークステーション２のバックアップアプリケーション１３から入力されたパスワードを読み取って運転するよう構成することもできる。
【００３０】
上記の各実施の形態では、磁気テープ６に書き込まれる擬似ＥＯＤの数は、ＥＯＤ１，ＥＯＤ２，・・・・，ＥＯＤＸの複数個であったが、パスワードに対応して対比テーブル２２に登録される擬似ＥＯＤの数は、単数でもかまわない。
【産業上の利用可能性】
【００３１】
ＤＤＳテープストレージドライブによって磁気テープにバックアップされるユーザーデータのデータ保護の向上に寄与できる。
【図面の簡単な説明】
【００３２】
【図１】本発明の磁気記録再生装置の構成図
【図２】同実施の形態の制御手段の記録時のフローチャート図
【図３】同実施の形態の記録フォーマット図
【図４】同実施の形態の制御手段の再生時のフローチャート図
【図５】従来の磁気記録再生装置の構成図
【図６】一般的なＤＤＳフォーマットの記録フォーマット図
【図７】従来の磁気記録再生装置の外観斜視図
【図８】従来の磁気記録再生装置のマガジンとカートリッジの外観斜視図
【図９】従来の磁気記録再生装置の正面図
【図１０】従来の記録時のフローチャート図と再生時のフローチャート図
【符号の説明】
【００３３】
１    磁気記録再生装置本体
２    ワークステーション
３    通信ライン
４    制御手段
５    回転形磁気ヘッド
６    磁気テープ
７    再生手段
８    記録手段
９    オートローダ
１０    カートリッジ
１１    マガジン
１３    バックアップアプリケーション
１４    入力手段
１５    ユーザーデータエリア
１６    デバイスデータ
１７    リファレンスデータ
１８    システムデータ
１９    ベンダーグループデータ
ＤＰ    液晶表示パネル
ＳＷ１    イジェクトスイッチ
ＳＷ２    選択ボタンスイッチ
ＳＷ３    入力ボタンスイッチ
２０    真のＥＯＤ
２２    対比テーブル
２３    パスワード入力手段
２４    擬似ＥＯＤ
【図１】
2007026490.tif 000003
【図２】
2007026490.tif 000004
【図３】
2007026490.tif 000005
【図４】
2007026490.tif 000006
【図５】
2007026490.tif 000007
【図６】
2007026490.tif 000008
【図７】
2007026490.tif 000009
【図８】
2007026490.tif 000010
【図９】
2007026490.tif 000011
【図１０】
2007026490.tif 000012